【事件の表示】
　平成１０年特許願第１８２２６６号「プリンタ装置及びカラーファクシミリ装置」拒絶査定不服審判事件〔平成１２年　１月１１日出願公開、特開２０００−　　６４４３〕について、次のとおり審決する。
【結　論】
　本件審判の請求は、成り立たない。
【理　由】
１．手続の経緯
　本願は、平成１０年６月２９日に出願したものであって、平成１７年６月１５日付けで拒絶査定がなされ、これに対し、同年７月２１日付けで拒絶査定に対する審判請求がなされるとともに、同年８月２２日付けで明細書についての手続補正がなされたものである。
　当審においてこれを審理した結果、平成１９年９月１９日付けで前記明細書についての手続補正を補正却下するとともに拒絶の理由を通知した（いわゆる最後の拒絶理由通知であって、明細書の不備を含む内容の指摘をした。）ところ、請求人は同年１１月１６日付けで手続補正書を提出した。
　
２．本願発明
　平成１９年１１月１６日付け手続補正は、明りょうでない記載の釈明を目的とするものであって、本願請求項１に係る発明（以下、「本願発明」という。）は、前記手続補正によって補正された特許請求の範囲（請求項数２）の請求項１に記載された事項により特定される次のものと認める。
「カラー画像の各色信号に応じた芳香剤を保持する複数の芳香剤保持手段と、該複数の芳香剤保持手段で保持した芳香剤を外部の空気中に放出する複数の芳香剤放出手段と、画像信号に応じて芳香剤の放出量を制御する芳香剤制御手段とを有する芳香出力装置を備えたプリンタ装置であって、
　前記芳香出力装置の芳香剤制御手段は、出力する画像の画素毎の色信号の強度の総和に応じて各芳香剤放出手段による芳香剤の放出量を変えることを特徴とするプリンタ装置。」
　
３．引用刊行物
　原査定の拒絶の理由に引用された刊行物である特開平１０−８５３１５号公報（以下、「刊行物」という。）には、以下の記載が図示とともにある。
　ア．【０００４】
・・・
【発明の実施の形態】
実施形態１．図１は、本発明の実施形態１による芳香装置を含む頭部携帯型情報提供装置を示す概略図である。図１において、１はヘルメット型又は帽子型の頭部支持部、２はこの頭部支持部１に備えられ、ユーザーの眼に画像を提供するための液晶表示装置（ＬＣＤ）、３はユーザーの両耳にそれぞれ対向する位置に備えられたスピーカ又はイヤホン、４はユーザーの鼻にほぼ対向する位置に備えられた芳香装置（実施形態１）である。また、図２は図１の頭部携帯型情報提供装置の電気的構成を示すブロック図である。この頭部携帯型情報提供装置は、図２に示すように、前記頭部支持部１に支持されたＬＣＤ２、スピーカ又はイヤホン３、及び芳香装置４と、これらに対して制御信号を出力する制御装置６と、制御装置６に対して情報処理に必要なゲームやカラオケや映画などのプログラムやデータを提供するＣＤ−ＲＯＭ装置５と、から構成されている。なお、この図２の装置において、前記制御装置６は、前記ＣＤ−ＲＯＭ装置５からではなく、インターネットなどのコンピュータ通信ネットワーク上のサーバー（コンピュータ）７から、無線通信により、必要なゲームやカラオケや映画などのプログラム及びデータを受信するようにしてもよい。また、図２において、９はユーザーが頭部携帯型情報提供装置を操作するための操作盤である。この操作盤９は、具体的には、ユーザーが頭部携帯型情報提供装置で利用しようとするゲームソフト、カラオケソフト、映画ソフトなどの利用ソフトの選定、ゲームソフトやカラオケソフトなどの操作、などを行うものである。また、このユーザーは、この操作盤９を操作することにより、前記芳香装置４から発生させる香りの種類（例えば、リフレッシュする香り、リラックスする香り、眠りに入りやすい香り、海の香り、森林の香り、など）を指定することもできる。次に、図３は、図２の芳香装置４（実施形態１）の全体構成を示す概略図である。図３において、１０は複数種類の香料を保存しておく保存部、９ａ，９ｂ及び９ｃはこの保存部１０からの香料を収容し且つ必要な量だけ取り出す収容・取り出し部、８ａ，８ｂ及び８ｃは前記収容・取り出し部９ａ，９ｂ及び９ｃから取り出されて混合されて生成された香りを放出するための放出部である。図３に示すように、この実施形態１では、保存部１０は一つであるが、この保存部１０から３つの収容・取り出し部９ａ，９ｂ，９ｃに香料が供給されている。また、制御装置６は、これらの収容・取り出し部９ａ，９ｂ，９ｃをそれぞれ別個に制御している。また、前記収容・取り出し部９ａ，９ｂ，及び９ｃは、ユーザーの鼻（図３のＡの部分）をほぼ中心として、それぞれ、その左側、右側、及び前側に位置され、それらの放出部８ａ，８ｂ及び８ｃは、前記のユーザーの鼻の左側、右側、及び前側各位置から、ユーザーの鼻Ａに向かって、香りを放出するように構成されている。
　イ．【０００６】次に、図４は図１〜図３の芳香装置４の構成の一例を示す図である。図４において、１０は複数種類の香料を保存する保存部、１１ａ，１２ａ，１３ａは、複数種類（図４では３種類）の香料（液体性）、１１，１２，１３は、前記各香料１１ａ，１２ａ，１３ａをそれぞれ保存する保存容器で、これらの３つの保存容器１１，１２，１３により前記保存部１０を構成している。また、前記各保存容器１１，１２，１３は、それぞれ、配管１１ｂ，１２ｂ，１３ｂを介して、各収容部２１，２２，２３に接続されている。前記各保存容器１１，１２，１３に保存された各香料（液体性）１１ａ，１２ａ，１３ａは、所定の圧力（この場合は重力など）により、前記配管１１ｂ，１２ｂ，１３ｂを介して、前記収容部２１，２２，２３にそれぞれ送られる。前記収容部２１，２２，２３は、密閉された容器となっており、この密閉された収容部２１，２２，２３内には、それぞれ各香料１１ａ，１２ａ，１３ａが満杯又はほぼ満杯に入れられている。また、前記各収容部２１，２２，２３と前記各保存容器１１，１２，１３との間の配管１１ｂ，１２ｂ，１３ｂには、図示していないが、各保存容器１１，１２，１３から各収容部２１，２２，２３の方向にのみ香料（液体）１１ａ，１２ａ，１３ａの移動を許し反対方向への移動を禁止するための弁が介設されている。また、前記各収容部２１，２２，２３内には、それぞれ、超音波振動子３１，３２，３３が備えられている。これらの各超音波振動子３１，３２，３３は、各収容部２１，２２，２３内の各香料１１ａ，１２ａ，１３ａ内に沈められるように配置されている。また、これらの各超音波振動子３１，３２，３３は、前記制御装置６により、所望の時間だけ振動するようになっている。前記各収容部２１，２２，２３内で前記各超音波振動子３１，３２，３３が振動すると、各香料１１ａ，１２ａ，１３ａが所定量だけ霧状の粒子となる。各香料１１ａ，１２ａ，１３ａが霧状の粒子になると、それだけ体積が膨張するため、霧状の粒子は、密閉空間である各収容部２１，２２，２３内の空間から、所定の圧力（前記の体積の膨張による圧力）をもって、図示の配管２１ａ，２２ａ，２３ａを介して混合部４０に送られる。前記の各収容部２１，２２，２３の全て又はいずれかからから送られる霧状の香料粒子は、混合部４０で混合されて、図示の放出部８ａから、ユーザーの鼻の方向へ放出される。この場合、前記混合部４０には、前述のように、各収容部２１，２２，２３から所定の圧力をもって霧状の粒子が混合部４０に送られるので、それらの圧力により、混合部４０で混合された香料の粒子も、放出部８ａから、ある程度の勢いをもって放出される。
　ウ．【０００７】なお、前記各収容部２１，２２，２３と前記混合部４０との間の各配管２１ａ，２２ａ，２３ａにも、図示してはいないが、霧状の香料粒子の移動を、収容部から混合部の方向にのみ許し反対方向への移動は禁止するための弁が介設されている。また、図４の各収容部２１，２２，２３と各超音波振動子３１，３２，３３とで、図３の収納・取り出し部９ａを構成している。以上のように、この実施形態１によれば、３種類の香料の全部又は一部を所定量ずつ混合させて、所望の香りを生成することが可能になる。例えば、３種類の香料１１ａ，１２ａ，１３ａを、それぞれ、１：１：１の割合で混合する場合、１：２：１の割合で混合する場合、１：２：３の割合で混合する場合、０：１：１の割合で混合する場合、０：１：２の割合で混合する場合、などの極めて多数の調合の組合せが可能になる。また、この実施形態１では３種類のみの香料を使用しているが、本発明では１０種類以上の香料を使用することも可能であり、この１０種類以上の香料を所定量ずつ調合すれば、極めて多数の多様な香りをその場でリアルタイムに生成できるようになる。なお、図４において、９は操作盤で、ユーザーから図４の頭部携帯型情報提供装置への指令はこの操作盤９を介して行われる。例えば、前記ＣＤ−ＲＯＭ装置５から呼び出してプレイするゲームソフト、映画ソフト、又はカラオケ曲などの選択や、ゲームソフトの操作などは、ユーザーがこの操作盤９により行う。また、ユーザーは、発生させたい香りを指定して、発生するように支持することもできる。例えば、ユーザーは、操作盤９を操作して、「リラックスできる香り」「リフレッシュできる香り」「眠りたくなる香り」のいずれかを選択して、その香りを発生するように、頭部携帯型情報提供装置に指示することかできる。
　エ．【０００８】実施形態２．次に、本発明の実施形態２を図５に基づいて説明する。この実施形態２は、実施形態１とほぼ同様の構成であるが、各収納部２１，２２，２３内の各香料１１ａ，１２ａ，１３ａ内には、前記の超音波振動子３１，３２，３３ではなく、超小型のヒーター（電熱器）５１，５２，５３を備えるようにしている。また、この実施形態２では、実施形態１と同様に、前記各収納部２１，２２，２３は密閉された空間となっており、また、前記配管１１ｂ，１２ｂ，１３ｂには、保存容器１１，１２，１３から収納部２１，２２，２３への移動のみを許し反対方向の移動を禁止するための弁が介設されている。また図５に示すように、混合部５５内には、その底部に、超音波振動子５４が備えられている。この実施形態２では、前記の超小型ヒーター５１，５２，５３の全部又はいずれかを所定時間だけ加熱すると、前記各収納部２１，２２，２３内の各香料（液体）が所定量だけ熱膨張して、各収納部から外部に、勢いよく噴出する（いわば、水鉄砲の要領で噴出する）。つまり、この場合、各香料は、各収納部２１，２２，２３から、それぞれ、前記配管２１ａ，２２ａ，２３ａを介して、所定量だけ混合部５５に送られる。この実施形態２では、制御装置６は、所定の調合データに基づいて、前記各ヒーター５１，５２，５３が駆動するように制御する。また、制御装置６は、各香料が前述のようにして収納部２１，２２，２３から混合部５５に送られた後は、前記超音波振動子５４を駆動するように制御する。超音波振動子５４が振動すると、混合部５５内で互いに混合された香料は、霧状の粒子となる。その結果、香料全体の体積が膨張するので、前記の霧状の粒子は、所定の圧力をもって、勢いよく、放出部５８から放出される。以上のように、この実施形態２では、超小型ヒーター５１，５２，５３を使用して、香料を熱膨張させて各収納部２１，２２，２３から香料を噴出させ、この噴出した香料を混合させて所望の香りを生成している。このような構成の中の、前記超小型ヒーターで香料を熱膨張させて噴出させる構成は、従来のバブルジェット（審決注：登録商標）・プリンタの駆動機構とほぼ同様である。よって、この実施形態２は、このバブルジェット・プリンタの部品などを流用して低コストで製造することが可能である。
　オ．【００１２】実施形態５．次に本発明の実施形態５を図７に基づいて説明する。この実施形態５は、図１〜図４に基づいて説明した実施形態１とほぼ同様の構成であるが、図４の混合部４０が存在しない点で、実施形態１と異なっている。つまり、この実施形態５では、各収納部２１，２２，２３からの香料を混合させる混合部は存在せず、各収納部２１，２２，２３からの香料の粒子（超音波振動子３１，３２，３３により微小な粒子となって空気中を浮遊する香料の粒子）は、直接に、ユーザーの方へ放出される。その結果、前記各収納部２１，２２，２３からの香料の粒子は、ユーザーの近傍の空間で、自然に、互いに混合されることになる。この実施形態５のように、混合部がない場合でも、前記の各香料が互いに所定の割合で混合された香りがユーザーに与えられるようになるので、実施形態１のような混合部４０がなくても特に不都合はない。
　カ．【００１３】実施形態６．次に、本発明の実施形態６を図８に基づいて説明する。実施形態６は、図１〜図４に基づいて説明した実施形態１とほぼ同様の構成であるが、香料の取り出し部（図４の超音波振動子３１，３２，３３）を制御するための制御装置の内容が実施形態１とは異なっている。・・・
　キ．【００１５】・・・また、この実施形態６では、前記画像解析部８２は、前記ＬＣＤ２に表示された画像のＲ，Ｇ，Ｂの３原色の表示の割合を解析し、それを示す解析信号を制御部８３荷送り、制御部８３では、その解析信号に示された３原色の表示の割合に基づいて、「望ましい香り」を選定するようにしてもよい。例えば、現在のカラーＬＣＤ２の表示画面の全体で表示されているＲ，Ｇ，Ｂの３原色の割合が、Ｒ：Ｇ：Ｂ＝１：２：３のときは、「Ｂ」のブルーの色が多いので、「ブルーの色が有する爽やかな感じのある香り」を選定するようにする。また、例えば、現在のカラーＬＣＤ２の表示画面の全体で表示されているＲ，Ｇ，Ｂの３原色の割合が、Ｒ：Ｇ：Ｂ＝１：５：２のときは、「Ｇ」のグリーンの色が多いので、「グリーンの色が有するリラックスした感じのある香り」を選定するようにする。
ク．【００１８】・・・また、以上の実施形態１〜８では、ユーザーが頭部に支持して携帯する芳香装置を示しているが、本発明はこれに限られるものではなく、家庭のリビングルームなどに備え付ける卓上型のものでもよい。
　
　上記キ．から、制御部８３は、液晶表示装置（ＬＣＤ）に表示された画像のＲ，Ｇ，Ｂの３原色の表示の割合を示す解析信号に基づいて、３原色に応じた香料を選定するものと認められ、３原色に応じた香料は、保存容器１１，１２，１３に保存されているものと認められる。
　上記オ．に混合部４０を存在させない旨記載されているので、上記刊行物の実施形態１の混合部４０を省略し、収容部２１，２２，２３から直接ユーザーに放出されるものが想定でき、各収容部２１，２２，２３と各超音波振動子３１，３２，３３からなるものをそれぞれ「香料放出手段」と称することができる。
　上記ア．の「ユーザーの眼に画像を提供するための液晶表示装置（ＬＣＤ）」、「インターネットなどのコンピュータ通信ネットワーク上のサーバー（コンピュータ）７から、無線通信により、必要なゲームやカラオケや映画などのプログラム及びデータを受信するようにしてもよい。」との記載、上記ク．の「家庭のリビングルームなどに備え付ける卓上型のものでもよい。」との記載から、表示装置は、パーソナルコンピュータの液晶表示装置（ＬＣＤ）を認識でき、該装置にカラープリンタを接続することは、常套手段であり、カラープリンタを接続したものをプリンタ装置と称することができる。
　よって、上記記載及び図面を含む刊行物全体の記載から、刊行物には、以下の発明が開示されていると認められる。
「液晶表示装置（ＬＣＤ）と、前記液晶表示装置（ＬＣＤ）に表示された画像のＲ，Ｇ，Ｂの３原色に応じた香料を保持する保存容器１１，１２，１３と、該保存容器１１，１２，１３で保持した香料を、収納部２１，２２，２３内に備えられた超音波振動子３１，３２，３３を使用して、香料をユーザーに対して放出させる複数の香料放出手段と、液晶表示装置（ＬＣＤ）に表示された画像のＲ，Ｇ，Ｂの３原色の表示の割合を示す解析信号に基づいて香料を選択する制御部８３とを有する芳香装置４と、カラープリンタを備えたプリンタ装置。」
　
４．対比
　本願発明と刊行物記載の発明とを比較すると、刊行物記載の発明の「香料」、「保存容器１１，１２，１３」、「香料放出手段」、「制御部８３」及び「芳香装置４」は、それぞれ本願発明の「芳香剤」、「芳香剤保持手段」、「芳香剤放出手段」、「芳香剤制御手段」及び「芳香出力装置」に相当する。
　刊行物記載の発明の「保存容器１１，１２，１３」は、複数であるから、複数の芳香剤保持手段を有するといえ、刊行物記載の発明の「香料放出手段」は、香料をユーザーに対して放出させるから、外部の空気中に放出するものといえる。
　刊行物記載の発明の「液晶表示装置（ＬＣＤ）に表示された画像のＲ，Ｇ，Ｂの３原色の表示の割合を示す解析信号に基づいて香料を選択する制御部８３」と、本願発明の「画像信号に応じて芳香剤の放出量を制御する芳香剤制御手段」とは、「画像に関する信号に応じて芳香剤の放出を制御する芳香剤制御手段」で共通する。
　よって、両者は、
「芳香剤を保持する複数の芳香剤保持手段と、該複数の芳香剤保持手段で保持した芳香剤を外部の空気中に放出する複数の芳香剤放出手段と、画像に関する信号に応じて芳香剤の放出を制御する芳香剤制御手段とを有する芳香出力装置を備えたプリンタ装置。」
の点で一致し、以下の点で相違している。
［相違点］本願発明は、カラー画像の各色信号に応じた芳香剤を保持し、画像信号に応じて芳香剤の放出量を制御し、出力する画像の画素毎の色信号の強度の総和に応じて各芳香剤放出手段による芳香剤の放出量を変える芳香剤制御手段を有するのに対し、刊行物記載の発明は、本願発明のような特定がなされていない点。
　
５．判断
　上記相違点について検討する。
　本願発明の「出力する画像の画素毎の色信号」が、どのようなものであるか必ずしも明らかではないが、本願明細書段落【００１７】に「出力する画像の各画素毎のレッドＲ，グリーンＧ，ブルーＢの各色信号の強度の総和を計算し、各色信号の強度の総和に応じて芳香剤放出手段２８１Ｒ〜２８１Ｂから芳香剤を噴出させるようにしても良い。」と記載されていることから、液晶表示装置（ＬＣＤ）等の画像形成装置への出力表示に用いるＲＧＢ信号を含んでいるものと認められる。
　一方、刊行物記載の発明は、液晶表示装置（ＬＣＤ）に表示された画像のＲ，Ｇ，Ｂの３原色に応じた香料を保持する保存容器１１，１２，１３を備え、液晶表示装置（ＬＣＤ）に表示された画像のＲ，Ｇ，Ｂの３原色の表示の割合を示す解析信号に基づいて香料を選択しているが、刊行物の前記ウ．に３種類の香料を任意の割合で噴出する旨記載されており、刊行物の前記エ．の記載から、芳香装置４にインクジェット・プリンタの技術を流用することが示唆されており、複数のインク吐出手段を有するカラーインクジェット・プリンタは、画像の各色信号の量（画素毎の各色信号の強度の総和）に応じて、各インク吐出手段によるインクの吐出量を変えるものであるから、Ｒ，Ｇ，Ｂの３原色信号の強度の総和に応じて各香料の放出量を制御し、上記相違点のような構成とすることは当業者が容易になし得る程度のことである。
　なお、本願の発明の詳細な説明には、プリンタ装置に印刷出力させる際に用いるＹＭＣ信号に基づいて放出量を制御することも記載されているが、刊行物記載の発明もカラープリンタを備えており、ＹＭＣ信号を扱うものであって、どの信号を用いるかは設計事項であるから、本願発明の「出力する画像の画素毎の色信号」がＹＭＣ信号を意味するものとしても、想到容易なものである。
　
　そして、本願発明の作用効果も、刊行物記載の発明から当業者が予測できる範囲のものである。
　
６．むすび
　以上のとおり、本願発明は、刊行物記載の発明に基づいて、当業者が容易に発明をすることができたものであるから、特許法第２９条第２項の規定により特許を受けることができないから、他の請求項に係る発明を検討するまでもなく、本願は、拒絶されるべきものである。
　よって、結論のとおり審決する。